(57)【特許請求の範囲】
【請求項１】
ワイヤハーネスを収容可能にした断面視凹状のプロテクタベースと、前記プロテクタベースの上部に被せられるカバーとを有し、前記プロテクタベースの側部が支持ピンによって支持されるワイヤハーネス用プロテクタであって、
前記支持ピンにはプロテクタ側に向かってクランク状に屈曲する屈曲部が形成されており、前記カバーには、前記支持ピンの前記屈曲部が係合する切欠き部が形成され、
前記プロテクタベースの側壁部に、前記支持ピンを嵌合させて該支持ピンの突出した外面を前記プロテクタベースの側壁部の内面と略面一にする開口部が形成されていることを特徴とするワイヤハーネス用プロテクタ。
【請求項２】
前記切欠き部は、前記プロテクタベースの上部を覆う前記カバーのカバー板部と側壁となる係合片とにわたって形成されていることを特徴とする請求項１に記載のワイヤハーネス用プロテクタ。
【請求項３】
前記プロテクタベースは、設置面に沿って屈曲され、前記プロテクタベースの屈曲箇所における隅部に、前記支持ピンが配置されることを特徴とする請求項１または２に記載のワイヤハーネス用プロテクタ。
【発明の詳細な説明】
【技術分野】
【０００１】
本発明は、ワイヤハーネスを収容して保護するワイヤハーネス用プロテクタに関する。
【背景技術】
【０００２】
従来より、自動車等の車両に配線されるワイヤハーネスの保護のために、ワイヤハーネスを収容する樹脂製のプロテクタが用いられている。
【０００３】
一般的に、プロテクタは、特許文献１〜９に示されるように、上方側が開放された断面視コ字状のプロテクタベースと、このプロテクタベースの上部を覆うように取り付けられるカバーとを有している。そして、このプロテクタを用いれば、車両のフレーム等に固定したプロテクタベース内にワイヤハーネスを収容し、プロテクタベースにカバーを被せることにより、ワイヤハーネスを保護した状態に配線することができる。
【０００４】
特に、特許文献１〜３には、設置場所に立設させたピン等の支持部材によってプロテクタを位置決めして支持する構造が示されている。
【先行技術文献】
【特許文献】
【０００５】
【特許文献１】実開平４−１４４２１号公報
【特許文献２】特開平６−１６５３３７号公報
【特許文献３】実開平２−１１８４１６号公報
【特許文献４】実公平１−３９０４７号公報
【特許文献５】特開平９−３７４３３号公報
【特許文献６】特開平７−１２３５６３号公報
【特許文献７】特開２００２−３３０５１８号公報
【特許文献８】実開平６−５３２０号公報
【特許文献９】特開２００４−３１９１４１号公報
【発明の概要】
【発明が解決しようとする課題】
【０００６】
ところで、ピン等の支持部材によってプロテクタを支持する場合、カバーの取り付け時にカバーが支持部材と干渉し、円滑に取り付けることが困難となることがある。そこで、支持部材を設ける場合、支持部材はカバーに届かない寸法に形成されたり、あるいは、支持部材が貫通する孔部をカバーに形成していた。
【０００７】
支持部材がカバーに届かない短い寸法とされると、支持部材によるプロテクタの支持力が弱くなり、プロテクタを十分に支持できなくなる虞がある。また、支持部材が貫通する孔をカバーに形成した場合、カバーの取り付け時に孔部へ支持部材を挿通させなければならず、カバーの取付作業に手間を要する。特に、複数の支持部材を有した場合、支持部材とカバーの孔部との位置にずれが生じ、カバーが取り付けできなくなることがあった。
【０００８】
また、プロテクタベース及びカバーに貫通する孔部を形成し、この孔部に支持部材を挿通させる構造では、ワイヤハーネスの収容スペースを低下させてしまう。このため、十分な収容スペースを確保するために、プロテクタ形状を大きくする必要が生じる。
【０００９】
本発明は、上述した事情に鑑みてなされたものであり、その目的は、取付作業に手間を要することなく、また形状の大型化を招くことなく、プロテクタベースにカバーを容易、かつ確実に装着させることが可能なワイヤハーネス用プロテクタを提供することにある。
【課題を解決するための手段】
【００１０】
本発明に係る上記目的は、下記構成により達成される。
（１）ワイヤハーネスを収容可能にした断面視凹状のプロテクタベースと、前記プロテクタベースの上部に被せられるカバーとを有し、前記プロテクタベースの側部が支持ピンによって支持されるワイヤハーネス用プロテクタであって、
前記支持ピンにはプロテクタ側に向かってクランク状に屈曲する屈曲部が形成されており、前記カバーには、前記支持ピンの前記屈曲部が係合する切欠き部が形成され、
前記プロテクタベースの側壁部に、前記支持ピンを嵌合させて該支持ピンの突出した外面を前記プロテクタベースの側壁部の内面と略面一にする開口部が形成されていることを特徴とするワイヤハーネス用プロテクタ。
【００１１】
このワイヤハーネス用プロテクタによれば、支持ピンが干渉するカバー箇所には切欠き部が形成されているので、カバーを取り付けた際、支持ピンがこの切欠き部に入り込む。したがって、カバーの支持ピンへの干渉を防止することができ、プロテクタベースに対してカバーを極めて円滑に取り付けることができる。
さらに、このワイヤハーネス用プロテクタによれば、プロテクタベースの側壁部に、支持ピンの一部が嵌合する開口部が形成され、開口部から突出した支持ピンの外面がプロテクタベースの側壁部の内面と略面一に配置されるので、ワイヤハーネスを収容した際、プロテクタベースの側壁部の内面と略面一に配置される支持ピンによってワイヤハーネスを引っ掛けたり、挟み込むなどの不具合をなくすことができる。
【００１２】
（２）  （１）のワイヤハーネス用プロテクタであって、
前記切欠き部は、前記プロテクタベースの上部を覆う前記カバーのカバー板部と側壁となる係合片とにわたって形成されていることを特徴とするワイヤハーネス用プロテクタ。
【００１３】
このワイヤハーネス用プロテクタによれば、支持ピンがカバーの切欠き部に入り込んだプロテクタを、支持ピンを立設させた治具台上から取り外す際に、切欠き部がカバー板部と係合片とにわたって開口するように切り欠かれているので、プロテクタは、支持ピンに拘束されることなく、治具台上から容易に取り外すことができる。
【００１６】
（３） （１）または（２）のワイヤハーネス用プロテクタであって、
前記プロテクタベースは、設置面に沿って屈曲され、前記プロテクタベースの屈曲箇所における隅部に、前記支持ピンが配置されることを特徴とするワイヤハーネス用プロテクタ。
【００１７】
このワイヤハーネス用プロテクタによれば、プロテクタベース内に配索されるワイヤハーネスは屈曲箇所においてその剛性により屈曲状態から直線に戻ろうとするため、配索が困難になる。しかし、プロテクタベースを載置する治具台上において、プロテクタベースの屈曲箇所の内側である隅部に支持ピンを配置しているので、ワイヤハーネスはこの支持ピンによって確実に屈曲できてプロテクタベース内に収容することができると同時に、プロテクタベースの変形を防止することができる。これにより、カバーをプロテクタベースに被せたときに、ワイヤハーネスがプロテクタベースとカバーとの間に挟まることを防止できる。また、カバーがプロテクタベースから脱落するのを抑えることもできる。
【発明の効果】
【００１８】
本発明によれば、取付作業を容易にし、カバーをプロテクタベースに容易、かつ確実に装着させることができる。また、プロテクタ形状の大型化を抑えることができる。
【図面の簡単な説明】
【００１９】
【図１】本発明の実施形態に係るワイヤハーネス用プロテクタの斜視図である。
【図２】プロテクタの支持ピンによる支持箇所の斜視図である。
【図３】カバーの切欠き部及びプロテクタベースの開口部を示す斜視図である。
【図４】プロテクタベースの開口部付近の斜視図である。
【図５】図４のプロテクタベースの開口部付近の平面図である。
【図６】図５のプロテクタベースの開口部付近の斜視図である。
【図７】支持ピンの配置を説明するプロテクタの概略平面図である。
【図８】参考例のプロテクタの斜視図である。
【図９】図８のプロテクタの支持ピンによる支持箇所の斜視図である。
【図１０】図８のプロテクタベースにおける支持ピンによる支持箇所の斜視図である。
【発明を実施するための形態】
【００２０】
以下、本発明に係る好適な実施の形態を図面を参照して説明する。
図１は本発明の一実施形態に係るワイヤハーネス用プロテクタの斜視図、図２はプロテクタの支持ピンによる支持箇所の斜視図、図３はカバーに形成された切欠き部及びプロテクタベースに形成された開口部を示す斜視図、図４はプロテクタベースの開口部付近の斜視図、図５は図４のプロテクタベースの開口部付近の平面図、図６は図５のプロテクタベースの開口部付近の斜視図である。
【００２１】
図１に示すように、ワイヤハーネス用プロテクタ（以下、単に「プロテクタ」と呼ぶ）１１は、プロテクタベース１２と、このプロテクタベース１２の上部開口面を覆うように取り付けられるカバー１３とを有しており、車両のフレーム等に取り付けられる設置面に沿ってクランク形状に屈曲されている。
【００２２】
プロテクタベース１２は、合成樹脂によって成形されたもので、底板部１２ａと、この底板部１２ａの両側部に立設された側壁部１２ｂとを有して上方側が開放された断面視凹状に形成されている。このプロテクタベース１２の底板部１２ａと側壁部１２ｂとから形成された凹状部分が、ワイヤハーネスＷの収容部Ｓとされる。
【００２３】
カバー１３は、プロテクタベース１２と同様に合成樹脂によって成形されたもので、上部開口面を覆う平板状のカバー板部１３ａの両側部に、プロテクタベース１２側へ向かって突出して側壁となる係合片１３ｂを備えて形成されている。カバー１３の係合片１３ｂの内面間の寸法は、プロテクタベース１２の側壁部１２ｂの外面間の寸法に対して略同一または若干大きくされている。これにより、プロテクタベース１２に対し、その上方側からカバー１３を被せるように装着すると、カバー１３の係合片１３ｂの間にプロテクタベース１２の側壁部１２ｂが入り込む。そして、プロテクタベース１２に対してカバー１３を被せると、ワイヤハーネスＷを収容する収容部Ｓが封鎖され、ワイヤハーネスＷが外部から保護される。
【００２４】
プロテクタ１１内にワイヤハーネスＷを配索する際に使用する不図示の治具台には、その台上に支持ピン２１が立設されている。治具台は、プロテクタ１１を支持ピン２１に嵌め込むことにより位置規制し、この位置規制した状態で、ワイヤハーネスＷを配索可能にする。プロテクタ１１は、ワイヤハーネスＷを配索したプロテクタベース１２にカバー１３が被せられた後、治具台から取り外される。支持ピン２１は、プロテクタ１１の屈曲箇所における隅部３０に配置される。支持ピン２１には、その途中に、プロテクタ１１側に向かってクランク状に屈曲する屈曲部２２が形成されている。
【００２５】
プロテクタ１１における支持ピン２１が接する隅部３０には、図２及び図３に示すように、係合部３１が設けられている。
係合部３１は、プロテクタベース１２の側壁部１２ｂの上縁部分に形成された開口部３３及びカバー１３に形成された切欠き部３４からなるもので、これらの開口部３３及び切欠き部３４からなる係合部３１に、支持ピン２１の屈曲部２２が係合される。切欠き部３４について詳述すると、図３に示すように、切欠き部３４は、カバー１３のカバー板部１３ａと係合片１３ｂとにわたって開口するように形成されている。
【００２６】
係合部３１に支持ピン２１の屈曲部２２が係合すると、図５及び図６に示すように、屈曲部２２よりも上方側でプロテクタベース１２に向かって突出した屈曲部２２の外面が、プロテクタベース１２の側壁部１２ｂの内面と略面一に配置されて上方へ延在された状態となる。
なお、支持ピン２１は、プロテクタ１１がクランク形状である場合は、図７に示すように、プロテクタ１１の屈曲箇所における内側である隅部３０に設けられるのが良い。
【００２７】
上記のプロテクタ１１にワイヤハーネスＷを収容する場合、まず、プロテクタベース１２を、不図示の治具台上に設置する。このとき、支持ピン２１を、プロテクタベース１２の開口部３３に係合させる。これにより、プロテクタベース１２を容易に治具台上に位置決めして支持することができる。
【００２８】
プロテクタベース１２を設置したら、プロテクタベース１２の収容部Ｓ内にワイヤハーネスＷを配線する。このとき、プロテクタベース１２の屈曲箇所における隅部３０では、開口部３３に係合された支持ピン２１の屈曲部２２よりも上方側が、プロテクタベース１２の側壁部１２ｂの内面と略面一に配置されて上方へ延在されているので、ワイヤハーネスＷを、プロテクタベース１２の側壁部１２ｂに引っ掛けたり、挟み込んだりするようなことなく、円滑に収容部Ｓ内へ導くことができる。
【００２９】
プロテクタベース１２の収容部Ｓ内にワイヤハーネスＷを配線したら、プロテクタベース１２の上部にカバー１３を被せるようにして取り付ける。このようにすると、ワイヤハーネスＷが配線されて収容された収容部Ｓがカバー１３によって封鎖され、ワイヤハーネスＷはプロテクタ１１によって確実に保護される。
【００３０】
また、カバー１３をプロテクタベース１２に取り付けた際、カバー１３の切欠き部３４に支持ピン２１が入り込むので、支持ピン２１に対するカバー１３の干渉を防止することができる。これにより、プロテクタベース１２に対してカバー１３を極めて円滑に取り付けることができる。治具台上に設置されたプロテクタ１１を治具台上から取り外す際に、プロテクタ１１は、カバー１３の切欠き部３４がカバー板部１３ａと係合片１３ｂとにわたって開口するように形成されているので、例えば、切欠き部がカバー板部を貫通する挿通孔として形成されているような場合と較べて、支持ピン２１によって拘束されることなく治具台上から容易に取り外すことができる。
【００３１】
また、ワイヤハーネスＷは、プロテクタベース１２の側壁部１２ｂの内面と略面一に配置されて上方へ延在する支持ピン２１がプロテクタベース１２の側壁部１２ｂに干渉することなく収容部Ｓ内に収容できるので、プロテクタベース１２にカバー１３を装着する際、プロテクタベース１２の側壁部１２ｂとカバー１３とによってワイヤハーネスＷの電線を挟み込んでしまうような不具合も生じない。
【００３２】
以上、説明したように、上記実施形態に係るワイヤハーネス用プロテクタによれば、カバー１３における支持ピン２１の配置箇所に切欠き部３４が形成されているので、カバー１３をプロテクタベース１２に取り付けた際、切欠き部３４に支持ピン２１が入り込む。したがって、カバー１３は支持ピン２１との干渉が防止され、プロテクタベース１２に対して円滑に取り付けることができる。
【００３３】
また、支持ピンが挿通される孔部を上下に貫通するように形成した従来構造のプロテクタと比較し、ワイヤハーネスの収容スペースが低下するような不具合もなく、収容スペースを確保するため、大型化を招くこともない。
【００３４】
しかも、プロテクタベース１２の収容部Ｓを構成する側壁部１２ｂの上縁部分に、支持ピン２１の屈曲部２２の一部が嵌合される開口部３３が形成され、開口部３３に嵌合された支持ピン２１がプロテクタベース１２の側壁部１２ｂの内面と略面一に配置されて上方へ延在するので、ワイヤハーネスＷを収容部Ｓへ収容した際に、プロテクタベース１２の側壁部１２ｂの内面と略面一に配置される支持ピン２１がプロテクタベース１２の側壁部１２ｂにワイヤハーネスＷを引っ掛けるような事態を招かない。これにより、プロテクタベース１２の側壁部１２ｂに引っ掛かったワイヤハーネスＷを、プロテクタベース１２の側壁部１２ｂとカバー１３とによって挟み込んでしまうような不具合をなくすことができる。
【００３５】
特に、ワイヤハーネスＷが引っ張られて直線状になろうとした場合、プロテクタベース１２の屈曲箇所の内側である隅部３０に支持ピン２１が配置されるので、支持ピン２１によってプロテクタベース１２の変形を防止することができる。
【００３６】
ここで、本発明の更なる優位性を説明するため、図８から図１０に参考例を示す。
図８は参考例のプロテクタの斜視図、図９は参考例のプロテクタの支持ピンによる支持箇所の斜視図、図１０は参考例のプロテクタベースにおける支持ピンによる支持箇所の斜視図である。
【００３７】
図８に示すように、このプロテクタ１１は、支持ピン２１の屈曲部２２が係合可能な係合部がなく、支持ピン２１の屈曲部２２がプロテクタベース１２に被せられたカバー１３に係合する。このプロテクタ１１にあっては、図９に示すように、プロテクタベース１２の設置後にカバー１３を被せる際に、カバー１３が支持ピン２１の屈曲部２２に干渉してしまい、組立作業が円滑に行えない。また、図１０に示すように、プロテクタベース１２の収容部Ｓに収容するワイヤハーネスＷが屈曲箇所においてプロテクタベース１２の側壁部１２ｂの上縁に引っ掛かかり、このため、プロテクタベース１２にカバー１３を装着する際に、プロテクタベース１２の側壁部１２ｂとカバー１３とによってワイヤハーネスＷの電線を挟み込んでしまうという不具合が生じる虞がある。
【符号の説明】
【００３８】
１１  プロテクタ
１２  プロテクタベース
１２ｂ  側壁部
１３  カバー
２１  支持ピン
２２  屈曲部
３０  隅部
３３開口部
３４  切欠き部
Ｓ  収容部
Ｗ  ワイヤハーネス
【図１】
0005627299.tif 000002
【図２】
0005627299.tif 000003
【図３】
0005627299.tif 000004
【図４】
0005627299.tif 000005
【図５】
0005627299.tif 000006
【図６】
0005627299.tif 000007
【図７】
0005627299.tif 000008
【図８】
0005627299.tif 000009
【図９】
0005627299.tif 000010
【図１０】
0005627299.tif 000011